(57)【要約】【課題】光源装置を不要に点灯させることなく光源装置の長寿命化、省電力化が図れるとともに、利便性の向上が図れるプロジェクタを提供する。【解決手段】プロジェクタ１を構成する主制御部２４１は、再生装置３内部に搬入された記録媒体を外部に搬出させる旨の媒体搬出情報を取得する情報取得部２４１１と、主電源部２２１がＯＦＦ状態で情報取得部２４１１にて媒体搬出情報が取得された場合に、主電源部２２１をＯＦＦ状態からＯＮ状態に切り替えるＯＮ切替制御を実施する状態切替制御部２４１５と、状態切替制御部２４１５にてＯＮ切替制御が実施された後、ローディング機構３２に搬出動作を実施させる動作制御部２４１４と、状態切替制御部２４１５にてＯＮ切替制御が実施された後、光源装置２３１の消灯状態を維持する消灯維持制御を実施する光源制御部２４１６とを備えている。【選択図】図１
2009003001.tif 000002
【特許請求の範囲】
【請求項１】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、
前記再生装置は、外装筐体に形成された挿入口を介して挿入された前記記録媒体の内部への搬入動作、および、搬入された前記記録媒体の外部への搬出動作を実施する搬入出駆動部を備え、
前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段は、
前記再生装置内部に搬入された前記記録媒体を外部に搬出させる旨の媒体搬出情報を取得する情報取得部と、
前記主電源部がＯＦＦ状態で前記情報取得部にて前記媒体搬出情報が取得された場合に、前記主電源部をＯＦＦ状態からＯＮ状態に切り替えるＯＮ切替制御を実施する状態切替制御部と、
前記状態切替制御部にて前記ＯＮ切替制御が実施された後、前記搬入出駆動部に搬出動作を実施させる動作制御部と、
前記状態切替制御部にて前記ＯＮ切替制御が実施された後、前記光源装置の消灯状態を維持する消灯維持制御を実施する光源制御部とを備えていることを特徴とするプロジェクタ。
【請求項２】
請求項１に記載のプロジェクタにおいて、
前記状態切替制御部は、前記動作制御部が前記搬入出駆動部に搬出動作を実施させた後、前記主電源部をＯＮ状態からＯＦＦ状態に、再度、切り替えるＯＦＦ切替制御を実施することを特徴とするプロジェクタ。
【請求項３】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、
前記再生装置は、外装筐体に形成された挿入口を介して挿入された前記記録媒体の内部への搬入動作、および、搬入された前記記録媒体の外部への搬出動作を実施する搬入出駆動部を備え、
前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段は、
前記再生装置内部に搬入された前記記録媒体を外部に搬出させる旨の媒体搬出情報を取得する情報取得部と、
前記主電源部がＯＦＦ状態で前記情報取得部にて前記媒体搬出情報が取得された場合に、前記搬入出駆動部に搬出動作を実施させる動作制御部とを備えていることを特徴とするプロジェクタ。
【請求項４】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、
前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、
前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段は、
前記媒体収納部を前記再生装置外部に搬出させる旨の収納部搬出情報、および、前記媒体収納部を前記再生装置内部に搬入させる旨の収納部搬入情報を取得する情報取得部と、
前記主電源部がＯＦＦ状態で前記情報取得部にて前記収納部搬出情報が取得された場合に、前記主電源部をＯＦＦ状態からＯＮ状態に切り替えるＯＮ切替制御を実施する状態切替制御部と、
前記状態切替制御部にて前記ＯＮ切替制御が実施された後、前記情報取得部にて取得された前記収納部搬出情報または前記収納部搬入情報に応じて前記搬入出駆動部に搬出動作または搬入動作を実施させる動作制御部と、
前記状態切替制御部にて前記ＯＮ切替制御が実施された後、前記光源装置の消灯状態を維持する消灯維持制御を実施する光源制御部とを備えていることを特徴とするプロジェクタ。
【請求項５】
請求項４に記載のプロジェクタにおいて、
前記制御手段は、前記媒体収納部への前記記録媒体の収納状態を認識する収納状態認識部を備え、
前記状態切替制御部は、前記動作制御部が前記搬入出駆動部に搬入動作を実施させた後、前記収納状態認識部にて前記媒体収納部に前記記録媒体が収納されていない状態であると認識された場合に、前記主電源部をＯＮ状態からＯＦＦ状態に、再度、切り替えるＯＦＦ切替制御を実施し、
前記光源制御部は、前記動作制御部が前記搬入出駆動部に搬入動作を実施させた後、前記収納状態認識部にて前記媒体収納部に前記記録媒体が収納されている状態であると認識された場合に、前記光源装置を消灯状態から点灯状態に切り替える点灯制御を実施することを特徴とするプロジェクタ。
【請求項６】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、
前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、
前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段は、
前記媒体収納部を前記再生装置外部に搬出させる旨の収納部搬出情報、および、前記媒体収納部を前記再生装置内部に搬入させる旨の収納部搬入情報を取得する情報取得部と、
前記主電源部がＯＦＦ状態で前記情報取得部にて前記収納部搬出情報または前記収納部搬入情報が取得された場合に、前記情報取得部にて取得された前記収納部搬出情報または前記収納部搬入情報に応じて前記搬入出駆動部に搬出動作または搬入動作を実施させる動作制御部とを備えていることを特徴とするプロジェクタ。
【請求項７】
請求項６に記載のプロジェクタにおいて、
前記制御手段は、
前記媒体収納部への前記記録媒体の収納状態を認識する収納状態認識部と、
前記動作制御部が前記搬入出駆動部に搬入動作を実施させた後、前記収納状態認識部にて前記媒体収納部に前記記録媒体が収納されている状態であると認識された場合に、前記主電源部をＯＦＦ状態からＯＮ状態に切り替えるＯＮ切替制御を実施する状態切替制御部と、
前記状態切替制御部にてＯＮ切替制御が実施された後、前記光源装置を消灯状態から点灯状態に切り替える点灯制御を実施する光源制御部とを備えていることを特徴とするプロジェクタ。
【請求項８】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、
前記再生装置は、外装筐体に形成された挿入口を介して挿入された前記記録媒体の内部への搬入動作、および、搬入された前記記録媒体の外部への搬出動作を実施する搬入出駆動部を備え、
前記プロジェクタは、前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段が、
前記再生装置内部に搬入された前記記録媒体を外部に搬出させる旨の媒体搬出情報を取得する情報取得ステップと、
前記主電源部がＯＦＦ状態で前記媒体搬出情報を取得した場合に、前記主電源部をＯＦＦ状態からＯＮ状態に切り替えるＯＮ切替制御を実施する状態切替制御ステップと、
前記ＯＮ切替制御を実施した後、前記搬入出駆動部に搬出動作を実施させる動作制御ステップと、
前記ＯＮ切替制御を実施した後、前記光源装置の消灯状態を維持する消灯維持制御を実施する光源制御ステップとを実行することを特徴とする制御方法。
【請求項９】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、
前記再生装置は、外装筐体に形成された挿入口を介して挿入された前記記録媒体の内部への搬入動作、および、搬入された前記記録媒体の外部への搬出動作を実施する搬入出駆動部を備え、
前記プロジェクタは、前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段が、
前記再生装置内部に搬入された前記記録媒体を外部に搬出させる旨の媒体搬出情報を取得する情報取得ステップと、
前記主電源部がＯＦＦ状態で前記媒体搬出情報を取得した場合に、前記搬入出駆動部に搬出動作を実施させる動作制御ステップとを実行することを特徴とする制御方法。
【請求項１０】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、
前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、
前記プロジェクタは、前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段が、
前記媒体収納部を前記再生装置外部に搬出させる旨の収納部搬出情報、または、前記媒体収納部を前記再生装置内部に搬入させる旨の収納部搬入情報を取得する情報取得ステップと、
前記主電源部がＯＦＦ状態で前記収納部搬出情報を取得した場合に、前記主電源部をＯＦＦ状態からＯＮ状態に切り替えるＯＮ切替制御を実施する状態切替制御ステップと、
前記ＯＮ切替制御を実施した後、取得した前記収納部搬出情報または前記収納部搬入情報に応じて前記搬入出駆動部に搬出動作または搬入動作を実施させる動作制御ステップと、
前記ＯＮ切替制御を実施した後、前記光源装置の消灯状態を維持する消灯維持制御を実施する光源制御ステップとを実行することを特徴とする制御方法。
【請求項１１】
光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、
前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、
前記プロジェクタは、前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、
前記制御手段が、
前記媒体収納部を前記再生装置外部に搬出させる旨の収納部搬出情報、または、前記媒体収納部を前記再生装置内部に搬入させる旨の収納部搬入情報を取得する情報取得ステップと、
前記主電源部がＯＦＦ状態で前記収納部搬出情報または前記収納部搬入情報を取得した場合に、取得した前記収納部搬出情報または前記収納部搬入情報に応じて前記搬入出駆動部に搬出動作または搬入動作を実施させる動作制御ステップとを実行することを特徴とする制御方法。
【発明の詳細な説明】
【技術分野】
【０００１】
本発明は、プロジェクタ、および制御方法に関する。
【背景技術】
【０００２】
従来、光源装置から射出された光束を画像情報に応じて変調して画像光を形成し拡大投射するプロジェクタ本体と、ＣＤ(Compact Disk)やＤＶＤ(Digital Versatile Disk)等の記録媒体（以下、光ディスク）を装填可能とし光ディスクに記録された情報を再生する再生装置とが一体的に設けられたプロジェクタが知られている（例えば、特許文献１参照）。
このようなプロジェクタでは、再生装置に光ディスクを装填したままでプロジェクタの電源をＯＦＦ（主電源をＯＦＦ）した場合、利用者が光ディスクをプロジェクタ（再生装置）から取り出す際には、以下のような動作により内部の光ディスクを外部に搬出する技術が多用される。
第１の技術としては、プロジェクタは、利用者によるプロジェクタの電源ＯＮの操作により、起動（主電源をＯＮ）して光源装置を点灯させる。この後、プロジェクタは、利用者による光ディスクをプロジェクタ外部に搬出させる旨の入力操作（イジェクトボタンの押下）により、光ディスクを外部に搬出する。
第２の技術としては、プロジェクタは、利用者によるイジェクトボタンの押下により、起動する。この後、プロジェクタは、光源装置を点灯させる動作、および、光ディスクを外部に搬出する動作を実施する。
【０００３】
【特許文献１】特開２００６−７２０３７号公報
【発明の開示】
【発明が解決しようとする課題】
【０００４】
しかしながら、上述した２つの技術の双方ともに、再生装置に光ディスクを装填したままでプロジェクタの電源をＯＦＦした場合で利用者が光ディスクをプロジェクタから取り出す際には、光源装置を点灯させる動作を実施している。言い換えれば、利用者は光ディスクをプロジェクタから取り出すことのみを目的とし、プロジェクタにて表示された画像の観賞を目的としていないにも拘らず、プロジェクタは、光源装置を点灯させてしまう。すなわち、光源装置を不要に点灯させることとなり、光源装置の長寿命化、省電力化が図れない、という問題がある。
また、光源装置として放電発光型の光源ランプを用いた場合には、プロジェクタの電源をＯＦＦした直後に電源をＯＮさせて光源ランプを点灯させる際、ランプの特性上、点灯までに時間が掛かるものである。また、プロジェクタとしては、光源ランプが点灯するまで電源をＯＦＦできないシステムが多用されている。このようなシステムでは、例えば、再生装置に光ディスクを装填したままでプロジェクタの電源をＯＦＦした直後に利用者が光ディスクをプロジェクタから取り出す際には、光源ランプが点灯するまで電源をＯＦＦすることができないため、光ディスクを取り出すことができても、光源ランプが点灯するまで待つ必要があり、プロジェクタの電源をＯＦＦして電源ケーブルをコンセントから引き抜きプロジェクタを他の場所に持ち運ぶ等ができず、利便性の向上が図れない、という問題がある。
【０００５】
本発明の目的は、光源装置を不要に点灯させることなく光源装置の長寿命化、省電力化が図れるとともに、利便性の向上が図れるプロジェクタ、および制御方法を提供することにある。
【課題を解決するための手段】
【０００６】
本発明のプロジェクタは、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、前記再生装置は、外装筐体に形成された挿入口を介して挿入された前記記録媒体の内部への搬入動作、および、搬入された前記記録媒体の外部への搬出動作を実施する搬入出駆動部を備え、前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、前記制御手段は、前記再生装置内部に搬入された前記記録媒体を外部に搬出させる旨の媒体搬出情報を取得する情報取得部と、前記主電源部がＯＦＦ状態で前記情報取得部にて前記媒体搬出情報が取得された場合に、前記主電源部をＯＦＦ状態からＯＮ状態に切り替えるＯＮ切替制御を実施する状態切替制御部と、前記状態切替制御部にて前記ＯＮ切替制御が実施された後、前記搬入出駆動部に搬出動作を実施させる動作制御部と、前記状態切替制御部にて前記ＯＮ切替制御が実施された後、前記光源装置の消灯状態を維持する消灯維持制御を実施する光源制御部とを備えていることを特徴とする。
【０００７】
本発明では、再生装置は、挿入口（スロット）を介して挿入された記録媒体の内部への搬入動作、および外部への搬出動作を実施する搬入出駆動部を備えた、いわゆるスロット式のディスクドライブで構成されている。また、プロジェクタを構成する制御手段は、情報取得部と、状態切替制御部と、動作制御部と、光源制御部とを備えている。ここで、光源装置および搬入出駆動部は、電源ブロックを構成する主電源部からの電力供給により動作する。また、制御手段は、電源ブロックを構成する副電源部からの電力供給により動作する。このことにより、プロジェクタは、主電源部がＯＦＦ状態の場合に副電源部から副電源動作ブロックにのみ電力供給されている状態（以下、スタンバイ状態）において、以下に示すように動作する。
【０００８】
先ず、情報取得部は、例えば、プロジェクタに備えられた操作部が利用者に操作され、再生装置内部に搬入された記録媒体を外部に搬出させる旨の入力操作が実施された場合に、操作部からの操作信号から記録媒体を搬出させる旨の媒体搬出情報を取得する（情報取得ステップ）。
次に、状態切替制御部は、情報取得部にて媒体搬出情報が取得されると、主電源部をＯＦＦ状態からＯＮ状態に切り替えるＯＮ切替制御を実施する（状態切替制御ステップ）。状態切替制御部がＯＮ切替制御を実施することで、主電源部から光源装置および搬入出駆動部に電力が供給され、光源装置を点灯可能な状態、搬入出駆動部を駆動可能な状態となる。
次に、動作制御部は、ＯＮ切替制御が実施された後、搬入出駆動部に搬出動作を実施させる（動作制御ステップ）。そして、利用者は、搬入出駆動部の搬出動作により挿入口を介して記録媒体を取り出すことができる。
また、光源制御部は、ＯＮ切替制御が実施された後、光源装置の消灯状態を維持する消灯維持制御を実施する（光源制御ステップ）。
【０００９】
以上の構成により、再生装置に記録媒体を装填したままでプロジェクタの電源をＯＦＦ（主電源部をＯＦＦ）した場合で利用者が記録媒体をプロジェクタから取り出す際には、プロジェクタは、光源装置を点灯させることなく、記録媒体を外部に搬出させることができる。このため、光源装置を不要に点灯させることがなく、光源装置の長寿命化、省電力化が図れる。また、光源装置として再点灯に時間が掛かる光源ランプを用いた場合であっても、光源装置を点灯させることがないので、例えば、制御手段が上記動作制御ステップを実施した後に、主電源部をＯＮ状態からＯＦＦ状態に切り替える制御を実施すれば、利用者は、記録媒体を取り出した後、所定時間、待つことなく、電源ケーブルをコンセントから引き抜きプロジェクタを他の場所に持ち運ぶ等を実施できる。このため、利便性の向上が図れる。
【００１０】
本発明のプロジェクタでは、前記状態切替制御部は、前記動作制御部が前記搬入出駆動部に搬出動作を実施させた後、前記主電源部をＯＮ状態からＯＦＦ状態に、再度、切り替えるＯＦＦ切替制御を実施することが好ましい。
本発明によれば、状態切替制御部は、動作制御部が搬入出駆動部に搬出動作を実施させた後、ＯＦＦ切替制御を実施するので、上述した利便性の向上が図れるという効果を好適に図れる。
【００１１】
本発明のプロジェクタは、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、前記再生装置は、外装筐体に形成された挿入口を介して挿入された前記記録媒体の内部への搬入動作、および、搬入された前記記録媒体の外部への搬出動作を実施する搬入出駆動部を備え、前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、前記制御手段は、前記再生装置内部に搬入された前記記録媒体を外部に搬出させる旨の媒体搬出情報を取得する情報取得部と、前記主電源部がＯＦＦ状態で前記情報取得部にて前記媒体搬出情報が取得された場合に、前記搬入出駆動部に搬出動作を実施させる動作制御部とを備えていることを特徴とする。
【００１２】
本発明では、再生装置は、上述したプロジェクタと同様に、いわゆるスロット式のディスクドライブで構成されている。また、プロジェクタを構成する制御手段は、情報取得部と、動作制御部とを備えている。ここで、光源装置は、電源ブロックを構成する主電源部からの電力供給により動作する。また、搬入出駆動部および制御手段は、電源ブロックを構成する副電源部からの電力供給により動作する。このことにより、プロジェクタは、スタンバイ状態において、以下に示すように動作する。
【００１３】
先ず、情報取得部は、上記同様に、操作部からの操作信号から記録媒体を搬出させる旨の媒体搬出情報を取得する（情報取得ステップ）。
次に、動作制御部は、情報取得部にて媒体搬出情報が取得されると、搬入出駆動部に搬出動作を実施させる（動作制御ステップ）。そして、利用者は、搬入出駆動部の搬出動作により挿入口を介して記録媒体を取り出すことができる。
以上の構成により、上述したプロジェクタと同様の作用および効果を享受できる。
また、搬入出駆動部が副電源部からの電力供給により駆動するため、スタンバイ状態において、搬入出駆動部を駆動させることができる。すなわち、上述したプロジェクタのように、スタンバイ状態において装填された光ディスクを外部に搬出させる際、主電源部をＯＦＦ状態からＯＮ状態に切り替えるＯＮ切替制御や、光源装置の消灯状態を維持する消灯維持制御を実施する必要がなく、制御手段の構造の簡素化が図れる。
【００１４】
本発明のプロジェクタは、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、前記制御手段は、前記媒体収納部を前記再生装置外部に搬出させる旨の収納部搬出情報、および、前記媒体収納部を前記再生装置内部に搬入させる旨の収納部搬入情報を取得する情報取得部と、前記主電源部がＯＦＦ状態で前記情報取得部にて前記収納部搬出情報が取得された場合に、前記主電源部をＯＦＦ状態からＯＮ状態に切り替えるＯＮ切替制御を実施する状態切替制御部と、前記状態切替制御部にて前記ＯＮ切替制御が実施された後、前記情報取得部にて取得された前記収納部搬出情報または前記収納部搬入情報に応じて前記搬入出駆動部に搬出動作または搬入動作を実施させる動作制御部と、前記状態切替制御部にて前記ＯＮ切替制御が実施された後、前記光源装置の消灯状態を維持する消灯維持制御を実施する光源制御部とを備えていることを特徴とする。
【００１５】
本発明では、再生装置は、記録媒体を収納可能とし外装筐体内外に進退自在に構成された媒体収納部（トレー）と、媒体収納部の内部への搬入動作、および外部への搬出動作を実施する搬入出駆動部を備えた、いわゆるトレー式のディスクドライブで構成されている。また、プロジェクタを構成する制御手段は、情報取得部と、状態切替制御部と、動作制御部と、光源制御部とを備えている。ここで、光源装置および搬入出駆動部は、電源ブロックを構成する主電源部からの電力供給により動作する。また、制御手段は、電源ブロックを構成する副電源部からの電力供給により動作する。このことにより、プロジェクタは、スタンバイ状態において、以下に示すように動作する。
【００１６】
先ず、情報取得部は、例えば、プロジェクタに備えられた操作部が利用者に操作され、媒体収納部を外部に搬出させる旨の入力操作、または媒体収納部を内部に搬入させる旨の入力操作が実施された場合に、操作部からの操作信号から媒体収納部を外部に搬出させる旨の収納部搬出情報、または媒体収納部を内部に搬入させる旨の収納部搬入情報を取得する（情報取得ステップ）。
次に、状態切替制御部は、情報取得部にて収納部搬出情報が取得されると、上述したプロジェクタと同様に、ＯＮ切替制御を実施する（状態切替制御ステップ）。状態切替制御部がＯＮ切替制御を実施することで、主電源部から光源装置および搬入出駆動部に電力が供給され、光源装置を点灯可能な状態、搬入出駆動部を駆動可能な状態となる。
次に、動作制御部は、ＯＮ切替制御が実施された後、情報取得部にて取得された収納部搬出情報または収納部搬入情報に応じて搬入出駆動部に搬出動作または搬入動作を実施させる（動作制御ステップ）。そして、利用者は、搬入出駆動部の搬出動作により媒体収納部に収納された記録媒体を取り出す、あるいは、新たな記録媒体を媒体収納部に収納することができる。
また、光源制御部は、ＯＮ切替制御が実施された後、上述したプロジェクタと同様に、消灯維持制御を実施する（光源制御ステップ）。
以上の構成により、再生装置をトレー式のディスクドライブで構成した場合であっても、上述した再生装置をスロット式のディスクドライブで構成したプロジェクタと同様の作用および効果を享受できる。
【００１７】
本発明のプロジェクタでは、前記制御手段は、前記媒体収納部への前記記録媒体の収納状態を認識する収納状態認識部を備え、前記状態切替制御部は、前記動作制御部が前記搬入出駆動部に搬入動作を実施させた後、前記収納状態認識部にて前記媒体収納部に前記記録媒体が収納されていない状態であると認識された場合に、前記主電源部をＯＮ状態からＯＦＦ状態に、再度、切り替えるＯＦＦ切替制御を実施し、前記光源制御部は、前記動作制御部が前記搬入出駆動部に搬入動作を実施させた後、前記収納状態認識部にて前記媒体収納部に前記記録媒体が収納されている状態であると認識された場合に、前記光源装置を消灯状態から点灯状態に切り替える点灯制御を実施することが好ましい。
本発明では、制御手段は、収納状態認識部を備える。そして、状態切替制御部は、動作制御部が搬入出駆動部に搬入動作を実施させた後、収納状態認識部にて媒体収納部に記録媒体が収納されていない状態であると認識された場合に、ＯＦＦ切替制御を実施する。言い換えれば、制御手段は、搬入出駆動部の搬出動作および搬入動作時に利用者により媒体収納部に収納された記録媒体が取り出された場合に、ＯＦＦ切替制御を実施する。このことにより、利用者は、記録媒体を媒体収納部から取り出した後、所定時間、待つことなく、電源ケーブルをコンセントから引き抜きプロジェクタを他の場所に持ち運ぶ等を実施でき、利便性の向上が図れる。
また、光源制御部は、動作制御部が搬入出駆動部に搬入動作を実施させた後、収納状態認識部にて媒体収納部に記録媒体が収納されている状態であると認識された場合に、点灯制御を実施する。言い換えれば、制御手段は、搬入出駆動部の搬出動作および搬入動作時に利用者により媒体収納部に新たな記録媒体が収納された場合に、点灯制御を実施する。このことにより、プロジェクタは、利用者により新たな記録媒体が媒体収納部に収納された後、即座に、該新たな記録媒体に記録された情報の再生（画像表示）を実施でき、利便性の向上が図れる。
【００１８】
本発明のプロジェクタは、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタであって、前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、前記制御手段は、前記媒体収納部を前記再生装置外部に搬出させる旨の収納部搬出情報、および、前記媒体収納部を前記再生装置内部に搬入させる旨の収納部搬入情報を取得する情報取得部と、前記主電源部がＯＦＦ状態で前記情報取得部にて前記収納部搬出情報または前記収納部搬入情報が取得された場合に、前記情報取得部にて取得された前記収納部搬出情報または前記収納部搬入情報に応じて前記搬入出駆動部に搬出動作または搬入動作を実施させる動作制御部とを備えていることを特徴とする。
【００１９】
本発明では、再生装置は、上述したプロジェクタと同様に、いわゆるトレー式のディスクドライブで構成されている。また、プロジェクタを構成する制御手段は、情報取得部と、動作制御部とを備えている。ここで、光源装置は、電源ブロックを構成する主電源部からの電力供給により動作する。また、搬入出駆動部および制御手段は、電源ブロックを構成する副電源部からの電力供給により動作する。このことにより、プロジェクタは、スタンバイ状態において、以下に示すように動作する。
【００２０】
先ず、情報取得部は、上記同様に、操作部からの操作信号から媒体収納部を外部に搬出させる旨の収納部搬出情報、または媒体収納部を内部に搬入させる旨の収納部搬入情報を取得する（情報取得ステップ）。
次に、動作制御部は、情報取得部にて取得された収納部搬出情報または収納部搬入情報に応じて搬入出駆動部に搬出動作または搬入動作を実施させる（動作制御ステップ）。そして、利用者は、搬入出駆動部の搬出動作により媒体収納部に収納された記録媒体を取り出す、あるいは、新たな記録媒体を媒体収納部に収納することができる。
以上の構成により、上述したプロジェクタと同様の作用および効果を享受できる。
また、搬入出駆動部が副電源部からの電力供給により駆動するため、スタンバイ状態において、搬入出駆動部を駆動させることができる。すなわち、上述したプロジェクタのように、スタンバイ状態において媒体収納部を外部に搬出あるいは搬入させる際、主電源部をＯＦＦ状態からＯＮ状態に切り替えるＯＮ切替制御や、光源装置の消灯状態を維持する消灯維持制御を実施する必要がなく、制御手段の構造の簡素化が図れる。
【００２１】
本発明のプロジェクタでは、前記制御手段は、前記媒体収納部への前記記録媒体の収納状態を認識する収納状態認識部と、前記動作制御部が前記搬入出駆動部に搬入動作を実施させた後、前記収納状態認識部にて前記媒体収納部に前記記録媒体が収納されている状態であると認識された場合に、前記主電源部をＯＦＦ状態からＯＮ状態に切り替えるＯＮ切替制御を実施する状態切替制御部と、前記状態切替制御部にてＯＮ切替制御が実施された後、前記光源装置を消灯状態から点灯状態に切り替える点灯制御を実施する光源制御部とを備えていることが好ましい。
本発明では、制御手段は、収納状態認識部と、状態切替制御部と、光源制御部とを備える。そして、動作制御部が搬入出駆動部に搬入動作を実施させた後、収納状態認識部にて媒体収納部に記録媒体が収納されている状態であると認識された場合に、状態切替制御部がＯＮ切替制御を実施し、光源制御部が点灯制御を実施する。このことにより、プロジェクタは、搬入出駆動部の搬出動作および搬入動作時に利用者により新たな記録媒体が媒体収納部に収納された後、即座に、該新たな記録媒体に記録された情報の再生（画像表示）を実施でき、利便性の向上が図れる。
【００２２】
本発明の制御方法は、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、前記再生装置は、外装筐体に形成された挿入口を介して挿入された前記記録媒体の内部への搬入動作、および、搬入された前記記録媒体の外部への搬出動作を実施する搬入出駆動部を備え、前記プロジェクタは、前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、前記制御手段が、前記再生装置内部に搬入された前記記録媒体を外部に搬出させる旨の媒体搬出情報を取得する情報取得ステップと、前記主電源部がＯＦＦ状態で前記媒体搬出情報を取得した場合に、前記主電源部をＯＦＦ状態からＯＮ状態に切り替えるＯＮ切替制御を実施する状態切替制御ステップと、前記ＯＮ切替制御を実施した後、前記搬入出駆動部に搬出動作を実施させる動作制御ステップと、前記ＯＮ切替制御を実施した後、前記光源装置の消灯状態を維持する消灯維持制御を実施する光源制御ステップとを実行することを特徴とする。
【００２３】
本発明の制御方法は、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、前記再生装置は、外装筐体に形成された挿入口を介して挿入された前記記録媒体の内部への搬入動作、および、搬入された前記記録媒体の外部への搬出動作を実施する搬入出駆動部を備え、前記プロジェクタは、前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、前記制御手段が、前記再生装置内部に搬入された前記記録媒体を外部に搬出させる旨の媒体搬出情報を取得する情報取得ステップと、前記主電源部がＯＦＦ状態で前記媒体搬出情報を取得した場合に、前記搬入出駆動部に搬出動作を実施させる動作制御ステップとを実行することを特徴とする。
【００２４】
本発明の制御方法は、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、前記プロジェクタは、前記光源装置および前記搬入出駆動部を含む主電源動作ブロックに対して電力を供給する主電源部、前記光源装置および前記搬入出駆動部を除く副電源動作ブロックに対して少なくとも前記主電源部がＯＦＦ状態の場合に電力を供給する副電源部を有する電源ブロックと、前記副電源部から供給される電力により動作する制御手段とを備え、前記制御手段が、前記媒体収納部を前記再生装置外部に搬出させる旨の収納部搬出情報、または、前記媒体収納部を前記再生装置内部に搬入させる旨の収納部搬入情報を取得する情報取得ステップと、前記主電源部がＯＦＦ状態で前記収納部搬出情報を取得した場合に、前記主電源部をＯＦＦ状態からＯＮ状態に切り替えるＯＮ切替制御を実施する状態切替制御ステップと、前記ＯＮ切替制御を実施した後、取得した前記収納部搬出情報または前記収納部搬入情報に応じて前記搬入出駆動部に搬出動作または搬入動作を実施させる動作制御ステップと、前記ＯＮ切替制御を実施した後、前記光源装置の消灯状態を維持する消灯維持制御を実施する光源制御ステップとを実行することを特徴とする。
【００２５】
本発明の制御方法は、光源装置から射出された光束を画像情報に応じて変調して画像光を形成し拡大投射するプロジェクタ本体と、記録媒体を装填可能とし前記記録媒体に記録された情報を再生する再生装置とを備えたプロジェクタの制御方法であって、前記再生装置は、前記記録媒体を収納可能とし外装筐体内外に進退自在に構成された媒体収納部と、前記媒体収納部の内部への搬入動作、および、前記媒体収納部の外部への搬出動作を実施する搬入出駆動部とを備え、前記プロジェクタは、前記光源装置を含む主電源動作ブロックに対して電力を供給する主電源部、前記搬入出駆動部を含む副電源動作ブロックに対して少なくとも前記主電源部がＯＦＦ状態の場合に電力を供給する副電源部を有する電源ブロックと、前記副電源部から供給される電力により動作する制御手段とを備え、前記制御手段が、前記媒体収納部を前記再生装置外部に搬出させる旨の収納部搬出情報、または、前記媒体収納部を前記再生装置内部に搬入させる旨の収納部搬入情報を取得する情報取得ステップと、前記主電源部がＯＦＦ状態で前記収納部搬出情報または前記収納部搬入情報を取得した場合に、取得した前記収納部搬出情報または前記収納部搬入情報に応じて前記搬入出駆動部に搬出動作または搬入動作を実施させる動作制御ステップとを実行することを特徴とする。
【００２６】
本発明の各制御方法は、上述した各プロジェクタによってそれぞれ実施されるものであるので、上述した各プロジェクタと同様の作用および効果を享受できる。
【発明を実施するための最良の形態】
【００２７】
[第１実施形態]
以下、本発明の第１実施形態を図面に基づいて説明する。
〔プロジェクタの構成〕
図１は、プロジェクタ１の概略構成を示すブロック図である。
プロジェクタ１は、画像情報に基づく画像光を形成し、スクリーン（図示略）上に拡大投射して投影画像を形成する。このプロジェクタ１は、図１に示すように、プロジェクタ本体２と、再生装置３とが一体的に構成されたものである。
【００２８】
再生装置３は、プロジェクタ本体２と信号ケーブル等にて接続し、ＣＤまたはＤＶＤ等の記録媒体（以下、光ディスク）に記録された情報を再生してプロジェクタ本体２に出力するディスクドライブ（スロット式のディスクドライブ）で構成されている。この再生装置３は、図１に示すように、挿入検出部３１と、搬入出駆動部としてのローディング機構３２と、ディスク検出部３３と、読取手段３４と、デコーダ３５等を備える。
挿入検出部３１は、具体的な図示は省略したが、外装筐体に形成された挿入口（スロット）を介して光ディスクの一部が挿入されたか否かを検出し、所定の信号をプロジェクタ本体２の後述する制御装置に出力する。この挿入検出部３１としては、挿入口を介して光ディスクの一部が挿入されたことを、例えば、フォトセンサ等により光学的に検出する構成や、機械式スイッチ等により機械的に検出する構成等が例示できる。
【００２９】
ローディング機構３２は、プロジェクタ本体２の後述する制御装置による制御の下、挿入口を介して一部が挿入された光ディスクをクランプして内部の所定位置（光ディスクに記録された情報を読み取るための読取位置）に搬入する搬入動作、および、内部の読取位置に搬入された光ディスクを外部に搬出する搬出動作を実施する。
ディスク検出部３３は、光ディスクが内部の読取位置に搬入されたか否かを検出し、所定の信号をプロジェクタ本体２の後述する制御装置に出力する。このディスク検出部３３としては、挿入検出部３１と同様の構成を採用できる。
【００３０】
読取手段３４は、スピンドルモータ等の駆動部やピックアップ等で構成され、読取位置に搬入された光ディスクを回転させ、光ディスクに記録された再生データ（画像データ（画像情報）、音声データ）を読み取る。
デコーダ３５は、読取手段３４にて読み取られた再生データを光ディスクの記録方式に応じてデコード（復号）し、プロジェクタ本体２に出力する。
【００３１】
プロジェクタ本体２は、光源装置から射出される光束を画像情報に応じて変調して画像光を形成し、形成した画像光をスクリーン上に拡大投射する。このプロジェクタ本体２は、図１に示すように、操作手段２１と、電源ブロック２２と、画像投射部２３と、制御装置２４等を備える。
操作手段２１は、外装筐体に設けられた操作パネルや、リモートコントローラで構成され、プロジェクタ１の電源ＯＮ／ＯＦＦ、投影画像の画質調整、音量調整、再生装置３による光ディスクの再生および停止、再生装置３に装填された光ディスクを外部に搬出させる旨の入力操作（イジェクト）を実施するための複数の操作ボタンを有する。そして、利用者による操作ボタンの押下により、操作手段２１から操作信号が制御装置２４に出力される。
【００３２】
電源ブロック２２は、電源プラグＰＬ（図１）を介して商用交流電源を入力して所定のレベルに安定した直流電圧を生成してプロジェクタ１の各構成要素に供給する電源変換回路である。この電源ブロック２２は、図１に示すように、主電源部２２１と、副電源部２２２とを備える。
主電源部２２１は、生成した直流電圧を後述する主電源動作ブロックに出力し、前記主電源動作ブロックを動作させる。また、主電源部２２１は、制御装置２４による制御の下、所定の直流電圧を供給する状態（ＯＮ状態）、および所定の直流電圧の供給を停止する状態（ＯＦＦ状態）が切り替えられる。この主電源部２２１としては、例えば、交流電流を整流して直流電流に変換するダイオードブリッジ等を有する整流回路や、入力した電流の電圧を所定の電圧に変換するＤＣ／ＤＣコンバータ等にて構成できる。
副電源部２２２は、生成した直流電圧を後述する副電源動作ブロックに出力し、前記副電源動作ブロックを動作させる。この副電源部２２２としては、上述した主電源部２２１と同様の構成を採用できる。
【００３３】
画像投射部２３は、制御装置２４による制御の下、画像光を形成してスクリーンに拡大投射する。この画像投射部２３は、図１に示すように、光源装置２３１と、光変調装置２３２と、投射光学装置２３３等を備える。
光源装置２３１は、制御装置２４による制御の下、光束を光変調装置２３２に向けて射出する。この光源装置２３１は、放電発光型の超高圧水銀ランプで構成されている。なお、光源装置２３１としては、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
【００３４】
光変調装置２３２は、制御装置２４からの駆動信号に基づいて、光源装置２３１から射出された光束を駆動信号に応じて画像光に変調して投射光学装置２３３に射出する。
投射光学装置２３３は、光変調装置２３２から射出された画像光をスクリーンに向けて拡大投射する。
【００３５】
制御装置２４は、ＣＰＵ(Central Processing Unit)等の制御手段としての主制御部２４１を備え、メモリ２４２に記憶された制御プログラムにしたがって所定の処理を実行し、プロジェクタ１全体を制御する。なお、以下では、制御装置２４としては、電源ブロック２２の制御構造、および再生装置３から出力された画像データの処理機能を主に説明し、その他の機能（再生装置３から出力された音声データの処理機能、外部機器から入力した信号の処理機能等）については説明を省略している。この制御装置２４は、図１に示すように、主制御部２４１およびメモリ２４２の他、画像情報処理部２４３と、ランプ駆動部（バラスト）２４４等を備える。
【００３６】
画像情報処理部２４３は、主制御部２４１による制御の下、再生装置３から出力された画像データに対して所定の処理を施し、処理を施した画像データに基づく駆動信号を光変調装置２３２に出力して、所定の画像光を光変調装置２３２に形成させる。この画像情報処理部２４３は、図１に示すように、画像データ処理部２４３１と、パネル駆動部２４３２等を備える。
画像データ処理部２４３１は、再生装置３から出力された画像データに対して、解像度を光変調装置２３２の解像度（画素数）に合わせる解像度変換処理、拡大・縮小等の画像サイズ調整処理、色相、色度、コントラスト、シャープネス、および輝度等の画質補正処理、台形歪補正処理、ガンマ補正処理等の各種の画像データ処理を実施する。なお、具体的な図示は省略したが、画像データ処理部２４３１は、上述した画像データ処理を実施する際の画像メモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。
パネル駆動部２４３２は、画像データ処理部２４３１にて画像データ処理が施された画像データから光変調装置２３２を駆動するための駆動信号を生成し、光変調装置２３２に駆動信号を出力することで画像（画像光）を形成させる。
【００３７】
ランプ駆動部２４４は、主制御部２４１による制御の下、所定の駆動周波数にしたがって駆動信号を生成し、光源装置２３１を駆動する。このランプ駆動部２４４としては、例えば、光源装置２３１の点灯に適合した所要の周波数、レベルによる電圧パルスに変換するダウンコンバータや、変換された電圧パルスを昇圧して光源装置２３１に供給するイグナイタ等で構成できる。
【００３８】
主制御部２４１は、メモリ２４２に記憶された制御プログラムを読み出して実行する。この主制御部２４１は、図１に示すように、情報取得部２４１１と、挿入状態認識部２４１２と、装填状態認識部２４１３と、動作制御部２４１４と、状態切替制御部２４１５と、光源制御部２４１６等を備える。
情報取得部２４１１は、利用者による操作手段２１の入力操作により操作手段２１から出力される操作信号を所定の情報として取得する。例えば、情報取得部２４１１は、利用者により操作手段２１に再生装置３に装填された光ディスクを外部に搬出させる旨の入力操作が実施され、操作手段２１から出力される操作信号を、再生装置３に装填された光ディスクを外部に搬出させる旨の媒体搬出情報として取得する。また、例えば、情報取得部２４１１は、利用者により操作手段２１にプロジェクタ１の電源ＯＮ／ＯＦＦの入力操作が実施され、操作手段２１から出力される操作信号を、プロジェクタ１の電源をＯＮする電源ＯＮ情報、またはプロジェクタ１の電源をＯＦＦする電源ＯＦＦ情報として取得する。
【００３９】
挿入状態認識部２４１２は、挿入検出部３１から出力される信号に応じて、挿入口を介して光ディスクの一部が挿入されたか否かを認識する。
装填状態認識部２４１３は、ディスク検出部３３から出力される信号に応じて、光ディスクが再生装置３内部の読取位置に存在するか否かを認識する。
動作制御部２４１４は、所定の条件の下、ローディング機構３２に搬入動作または搬出動作を実施させる。
状態切替制御部２４１５は、所定の条件の下、主電源部２２１のＯＮ状態およびＯＦＦ状態を切り替える。
光源制御部２４１６は、主電源部２２１がＯＮ状態の場合に、ランプ駆動部２４４に所定の制御指令を出力し、光源装置２３１を駆動させる。
【００４０】
なお、本実施形態では、主電源部２２１がＯＮ状態で、主電源部２２１から電力が供給されることにより動作する主電源動作ブロックＭＢは、図１に示すように、再生装置３を構成するローディング機構３２、ディスク検出部３３、読取手段３４、およびデコーダ３５と、プロジェクタ本体２を構成する画像情報処理部２４３およびランプ駆動部２４４である。また、主電源部２２１がＯＦＦ状態およびＯＮ状態の双方の状態で、副電源部２２２から電力が供給されることにより動作する副電源動作ブロックＳＢは、図１に示すように、再生装置３を構成する挿入検出部３１と、プロジェクタ本体２を構成する操作手段２１、主制御部２４１、およびメモリ２４２である。
【００４１】
〔プロジェクタの動作〕
次に、上述したプロジェクタ１の制御方法を図面に基づいて説明する。
図２は、プロジェクタ１の制御方法を説明するフローチャートである。
なお、以下では、主電源部２２１がＯＦＦ状態で電源プラグＰＬを介した外部からの電力が副電源部２２２から副電源動作ブロックＳＢに供給されている状態（スタンバイ状態）に設定されているものとする。すなわち、主電源部２２１から主電源動作ブロックＭＢに電力が供給されておらず、光源装置２３１は、消灯状態に設定されている。
先ず、スタンバイ状態において、主制御部２４１は、利用者により操作手段２１に再生装置３に装填された光ディスクを外部に搬出させる旨の入力操作が実施された場合には、以下の処理を実行する（ステップＳ１）。
【００４２】
すなわち、情報取得部２４１１は、操作手段２１から出力される操作信号を媒体搬出情報として取得する（ステップＳ１Ａ：情報取得ステップ）。
ステップＳ１Ａの後、状態切替制御部２４１５は、主電源部２２１をＯＦＦ状態からＯＮ状態に切り替えるＯＮ切替制御を実施する（ステップＳ１Ｂ：状態切替制御ステップ）。そして、プロジェクタ１は、主電源部２２１から主電源動作ブロックＭＢに電力が供給された通常動作状態に設定され、光源装置２３１を消灯状態から点灯状態に切替可能な状態となる。
【００４３】
ステップＳ１Ｂの後、光源制御部２４１６は、ランプ駆動部２４４に所定の制御指令を出力して、光源装置２３１の消灯状態を維持する消灯維持制御を実施する（ステップＳ１Ｃ：光源制御ステップ）。
ステップＳ１Ｃの後、装填状態認識部２４１３は、ディスク検出部３３から出力される信号に応じて、光ディスクが再生装置３内部の読取位置に存在するか否かを判定する（ステップＳ１Ｄ）。
ステップＳ１Ｄにおいて、「Ｙ」と判定された場合には、動作制御部２４１４は、ローディング機構３２に搬出動作を実施させる（ステップＳ１Ｅ：動作制御ステップ）。そして、利用者は、ローディング機構３２の搬出動作により挿入口を介して搬出された光ディスクを取り出すこととなる。
ステップＳ１Ｅの後、状態切替制御部２４１５は、主電源部２２１をＯＮ状態からＯＦＦ状態に、再度、切り替えるＯＦＦ切替制御を実施する（ステップＳ１Ｆ）。
一方、ステップＳ１Ｄにおいて、「Ｎ」と判定された場合、すなわち、再生装置３内部に光ディスクが装填されていない場合には、主制御部２４１は、ローディング機構３２に搬出動作を実施させることなく、ステップＳ１Ｆに移行する。
【００４４】
また、スタンバイ状態において、主制御部２４１は、利用者により操作手段２１にプロジェクタ１の電源ＯＮの入力操作が実施された場合には、以下の処理を実行する（ステップＳ２）。
すなわち、情報取得部２４１１は、操作手段２１から出力される操作信号を電源ＯＮ情報として取得する（ステップＳ２Ａ）。
ステップＳ２Ａの後、状態切替制御部２４１５は、ステップＳ１Ｂと同様に、ＯＮ切替制御を実施する（ステップＳ２Ｂ）。そして、プロジェクタ１は、通常動作状態に設定される。
なお、ステップＳ２以降の処理は、後述するステップＳ３以降の処理と同様であるため、ステップＳ３を説明した後に、同時に説明する。
【００４５】
さらに、スタンバイ状態において、主制御部２４１は、利用者により挿入口を介して光ディスクの一部が挿入された場合には、以下の処理を実行する（ステップＳ３）。
すなわち、挿入状態認識部２４１２は、挿入検出部３１から出力される信号に応じて、挿入口を介して光ディスクの一部が挿入されたことを認識する（ステップＳ３Ａ）。
ステップＳ３Ａの後、状態切替制御部２４１５は、ステップＳ１Ｂ，Ｓ２Ｂと同様に、ＯＮ切替制御を実施する（ステップＳ３Ｂ）。そして、プロジェクタ１は、通常動作状態に設定される。
ステップＳ３Ｂの後、動作制御部２４１４は、ローディング機構３２に搬入動作を実施させる（ステップＳ３Ｃ）。
【００４６】
ステップＳ３Ｃの後、装填状態認識部２４１３は、ステップＳ１Ｄと同様に、光ディスクが再生装置３内部の読取位置に存在するか否かを判定する（ステップＳ３Ｄ）。
ステップＳ３Ｄにおいて、「Ｎ」と判定された場合、すなわち、利用者が挿入口を介して光ディスクの一部を挿入したが、光ディスクの一部がローディング機構３２のクランプ位置まで到達していない状態で、ローディング機構３２が搬入動作を実施した場合には、状態切替制御部２４１５は、主電源部２２１をＯＮ状態からＯＦＦ状態に、再度、切り替えるＯＦＦ切替制御を実施する（ステップＳ３Ｅ）。
一方、ステップＳ３Ｄにおいて、主制御部２４１は、「Ｙ」と判定した場合には、読取手段３４およびデコーダ３５に所定の制御指令を出力し、装填された光ディスクの再生データを順次、出力させる（ステップＳ３Ｆ）。
【００４７】
そして、ステップＳ２およびステップＳ３（Ｓ３Ｆ）の後、光源制御部２４１６は、ランプ駆動部２４４に所定の制御指令を出力して、光源装置２３１を消灯状態から点灯状態に切り替える点灯制御を実施する（ステップＳ４）。
ステップＳ４の後、主制御部２４１は、画像情報処理部２４３に所定の制御指令を出力し、画像投射部２３からスクリーン上に、所定の待ち受け画像に関する画像光や、再生装置３から順次、出力される再生データ（画像データ）に基づく画像光を拡大投射させる（ステップＳ５）。そして、スクリーン上に投影画像が表示される。
【００４８】
そして、スクリーン上に投影画像を表示させている通常動作状態（ステップＳ５）において、主制御部２４１は、利用者により操作手段２１にプロジェクタ１の電源ＯＦＦの入力操作が実施された場合には、以下の処理を実行する（ステップＳ６）。
すなわち、情報取得部２４１１は、操作手段２１から出力される操作信号を電源ＯＦＦ情報として取得する（ステップＳ６Ａ）。
ステップＳ６Ａの後、光源制御部２４１６は、ランプ駆動部２４４に所定の制御指令を出力して、光源装置２３１を点灯状態から消灯状態に切り替える消灯制御を実施する（ステップＳ６Ｂ）。
ステップＳ６Ｂの後、状態切替制御部２４１５は、主電源部２２１をＯＮ状態からＯＦＦ状態に切り替えるＯＦＦ切替制御を実施する（ステップＳ６Ｃ）。
そして、ステップＳ６の処理により、投影画像の表示が停止され、プロジェクタ１は、スタンバイ状態に設定される。
【００４９】
また、通常動作状態（ステップＳ５）において、主制御部２４１は、利用者により操作手段２１に再生装置３に装填された光ディスクを外部に搬出させる旨の入力操作が実施された場合には、以下の処理を実行する（ステップＳ７）。
すなわち、主制御部２４１は、ステップＳ１Ａ，Ｓ１Ｄと同様に、媒体搬出情報の取得（ステップＳ７Ａ）、および光ディスクが再生装置３内部の読取位置に存在するか否かの判定（ステップＳ７Ｂ）を実施する。
ステップＳ７Ｂにおいて、主制御部２４１は、「Ｙ」と判定した場合には、ステップＳ１Ｅと同様に、ローディング機構３２に搬出動作を実施させ（ステップＳ７Ｃ）、ステップＳ５の処理に戻る。
一方、ステップＳ７Ｂにおいて、主制御部２４１は、「Ｎ」と判定した場合には、ローディング機構３２に搬出動作を実施させることなく、ステップＳ５の処理に戻る。
【００５０】
さらに、通常動作状態（ステップＳ５）において、主制御部２４１は、利用者により挿入口を介して光ディスクの一部が挿入された場合には、以下の処理を実行する（ステップＳ８）。
すなわち、主制御部２４１は、ステップＳ３Ａ，Ｓ３Ｃ，Ｓ３Ｄと同様に、挿入口を介して光ディスクの一部が挿入されたことの認識（ステップＳ８Ａ）、ローディング機構３２への搬入動作の指示（ステップＳ８Ｂ）、および光ディスクが再生装置３内部の読取位置に存在するか否かの判定（ステップＳ８Ｃ）を実施する。
ステップＳ８Ｃにおいて、主制御部２４１は、「Ｎ」と判定した場合、すなわち、利用者が挿入口を介して光ディスクの一部を挿入したが、光ディスクの一部がローディング機構３２のクランプ位置まで到達していない状態で、ローディング機構３２が搬入動作を実施した場合には、ステップＳ５の処理に戻る。
一方、ステップＳ８Ｃにおいて、主制御部２４１は、「Ｙ」と判定した場合には、ステップＳ３Ｆと同様に、再生装置３から装填された光ディスクの再生データを順次、出力させ（ステップＳ８Ｄ）、ステップＳ５の処理に戻る。
【００５１】
上述した第１実施形態によれば、以下の効果がある。
本実施形態では、再生装置３は、スロット式のディスクドライブで構成されている。また、プロジェクタ１を構成する主制御部２４１は、情報取得部２４１１と、状態切替制御部２４１５と、動作制御部２４１４と、光源制御部２４１６とを備える。ここで、光源装置２３１およびローディング機構３２は、主電源動作ブロックＭＢとして構成されている。また、主制御部２４１は、副電源動作ブロックＳＢとして構成されている。そして、主制御部２４１は、スタンバイ状態において、情報取得ステップＳ１Ａ、状態切替制御ステップＳ１Ｂ、光源制御ステップＳ１Ｃ、および動作制御ステップＳ１Ｅを実施する。このことにより、再生装置３に光ディスクを装填したままでプロジェクタ１の電源をＯＦＦ（主電源部２２１をＯＦＦ）した場合で利用者が光ディスクをプロジェクタ１から取り出す際には、プロジェクタ１は、光源装置２３１を点灯させることなく、光ディスクを外部に搬出させることができる。このため、光源装置２３１を不要に点灯させることがなく、光源装置２３１の長寿命化、省電力化が図れる。
【００５２】
また、状態切替制御部２４１５は、動作制御ステップＳ１Ｅの後、ＯＦＦ切替制御（ステップＳ１Ｆ）を実施する。このことにより、利用者は、光ディスクを取り出した後、所定時間、待つことなく、電源プラグＰＬをコンセントから引き抜きプロジェクタ１を他の場所に持ち運ぶ等を実施できる。このため、利便性の向上が図れる。
【００５３】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図３は、第２実施形態におけるプロジェクタ１Ａの概略構成を示すブロック図である。
図４は、プロジェクタ１Ａの制御方法を説明するフローチャートである。
本実施形態は、前記第１実施形態に対して、主電源動作ブロックＭＢおよび副電源動作ブロックＳＢの構成が異なる。また、主電源動作ブロックＭＢおよび副電源動作ブロックＳＢの構成変更に伴い、プロジェクタ本体２Ａを構成する制御手段としての主制御部２４１Ａの処理動作（メモリ２４２に記憶されている制御プログラム）も異なるものとしている。
【００５４】
具体的に、本実施形態では、主電源動作ブロックＭＢは、図３に示すように、プロジェクタ本体２Ａを構成する画像情報処理部２４３およびランプ駆動部２４４である。また、副電源動作ブロックＳＢは、図１に示すように、再生装置３と、プロジェクタ本体２Ａを構成する操作手段２１、主制御部２４１Ａ、およびメモリ２４２である。
本実施形態では、再生装置３は、副電源動作ブロックＳＢとして構成されているため、プロジェクタ１Ａがスタンバイ状態に設定されている際に動作可能となっている。例えば、スタンバイ状態において利用者により操作手段２１に再生装置３に装填された光ディスクを外部に搬出させる旨の入力操作が実施された場合には、主制御部２４１Ａは、主電源部２２１をＯＦＦ状態からＯＮ状態に切り替えることなく、再生装置３を駆動制御することができる。すなわち、本実施形態の制御方法は、前記第１実施形態で説明した制御方法に対して、図４に示すように、ステップＳ１の処理動作が異なるのみである。
【００５５】
すなわち、ステップＳ１において、主制御部２４１Ａは、前記第１実施形態で説明したステップＳ１Ａ，Ｓ１Ｄを実施する。
ステップＳ１Ｄにおいて、主制御部２４１Ａは、「Ｙ」と判定した場合には、前記第１実施形態で説明したステップＳ１Ｅを実施し、スタンバイ状態を維持する。
一方、ステップＳ１Ｄにおいて、主制御部２４１Ａは、「Ｎ」と判定した場合には、ローディング機構３２に搬出動作を実施させることなく、スタンバイ状態を維持する。
【００５６】
上述した第２実施形態によれば、前記第１実施形態と同様の効果の他、以下の効果がある。
本実施形態では、ローディング機構３２が副電源部２２２からの電力供給により駆動するため、スタンバイ状態において、ローディング機構３２を駆動させることができる。すなわち、前記第１実施形態で説明したプロジェクタ１のように、スタンバイ状態において装填された光ディスクを外部に搬出させる際、主電源部２２１をＯＦＦ状態からＯＮ状態に切り替えるＯＮ切替制御や、光源装置２３１の消灯状態を維持する消灯維持制御を実施する必要がなく、主制御部２４１Ａの構造の簡素化が図れる。
【００５７】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図５は、第３実施形態におけるプロジェクタ１Ｂの概略構成を示すブロック図である。
本実施形態は、前記第１実施形態で再生装置３がスロット式のディスクドライブで構成されていたのに対して、再生装置３Ｂがトレー式のディスクドライブで構成されている点が異なる。また、再生装置３Ｂがトレー式のディスクドライブで構成されていることに伴い、プロジェクタ本体２Ｂの操作手段２１Ｂの構成や制御装置２４Ｂ（制御手段としての主制御部２４１Ｂ）の構成（メモリ２４２に記憶された制御プログラム）も前記第１実施形態と異なるものとしている。その他の構成は、前記第１実施形態と同様のものである。
【００５８】
再生装置３Ｂは、図５に示すように、前記第１実施形態で説明した読取手段３４およびデコーダ３５の他、媒体収納部としてのトレー３６と、搬入出駆動部としてのローディング機構３２Ｂと、収納検出部３７等を備える。
トレー３６は、具体的な図示は省略したが、光ディスクを収納可能とし、外装筐体内外に進退自在に構成され、光ディスクを再生装置３Ｂに装填、あるいは、再生装置３から外部に取り出すための一般的なトレーで構成されている。
ローディング機構３２Ｂは、制御装置２４Ｂによる制御の下、トレー３６を内部の読取位置に搬入する搬入動作、および、内部の読取位置に搬入されたトレー３６を外部に搬出する搬出動作を実施する。
収納検出部３７は、トレー３６に光ディスクが収納されている状態であるか否かを検出し、所定の信号を制御装置２４Ｂに出力する。この収納検出部３７としては、前記第１実施形態で説明した挿入検出部３１やディスク検出部３３と同様の構成を採用できる。
【００５９】
操作手段２１Ｂは、前記第１実施形態で説明した操作手段２１と同様に、操作パネルやリモートコントローラで構成され、プロジェクタ１Ｂの電源ＯＮ／ＯＦＦ、投影画像の画質調整、音量調整、再生装置３Ｂによる光ディスクの再生および停止の入力操作の他、トレー３６を内部に搬入させる旨の入力操作や、トレー３６を外部に搬出させる旨の入力操作が可能に構成されている。
【００６０】
主制御部２４１Ｂは、図５に示すように、情報取得部２４１１Ｂと、収納状態認識部２４１３Ｂと、動作制御部２４１４Ｂと、状態切替制御部２４１５Ｂと、光源制御部２４１６Ｂ等を備える。
情報取得部２４１１Ｂは、前記第１実施形態で説明した情報取得部２４１１と同様に、操作手段２１Ｂから出力される操作信号を所定の情報（電源ＯＮ情報、電源ＯＦＦ情報）として取得する。また、情報取得部２４１１Ｂは、電源ＯＮ情報および電源ＯＦＦ情報の他、利用者により操作手段２１Ｂにトレー３６を内部に搬入させる、あるいは、外部に搬出させる旨の入力操作が実施され、操作手段２１Ｂから出力される操作信号を、トレー３６を内部に搬入させる旨の収納部搬入情報、外部に搬出させる旨の収納部搬出情報として取得する。
【００６１】
収納状態認識部２４１３Ｂは、収納検出部３７から出力される信号に応じて、トレー３６に光ディスクが収納されている状態であるか否かを認識する。
動作制御部２４１４Ｂは、所定の条件の下、ローディング機構３２Ｂに搬入動作または搬出動作を実施させる。
状態切替制御部２４１５Ｂは、所定の条件の下、主電源部２２１のＯＮ状態およびＯＦＦ状態を切り替える。
光源制御部２４１６Ｂは、主電源部２２１がＯＮ状態の場合に、ランプ駆動部２４４に所定の制御指令を出力し、光源装置２３１を駆動させる。
【００６２】
なお、本実施形態では、主電源動作ブロックＭＢは、図５に示すように、再生装置３Ｂを構成するローディング機構３２Ｂ、読取手段３４、デコーダ３５、および収納検出部３７と、プロジェクタ本体２Ｂを構成する画像情報処理部２４３およびランプ駆動部２４４である。また、副電源動作ブロックＳＢは、図５に示すように、プロジェクタ本体２Ｂを構成する操作手段２１Ｂ、主制御部２４１Ｂ、およびメモリ２４２である。
【００６３】
次に、上述したプロジェクタ１Ｂの制御方法を図面に基づいて説明する。
図６は、プロジェクタ１Ｂの制御方法を説明するフローチャートである。
なお、以下では、前記第１実施形態と同様に、プロジェクタ１Ｂは、スタンバイ状態に設定されているものとする。
先ず、スタンバイ状態において、主制御部２４１Ｂは、利用者により操作手段２１Ｂにトレー３６を外部に搬出させる旨の入力操作、トレー３６を内部に搬出させる旨の入力操作が実施された場合には、以下の処理を実行する（ステップＳ１１）。
なお、スタンバイ状態において、利用者により操作手段２１Ｂにプロジェクタ１Ｂの電源ＯＮの入力操作が実施された場合での主制御部２４１Ｂの処理動作は、前記第１実施形態で説明した処理動作（ステップＳ２）と同様のものである。
【００６４】
ステップＳ１１において、情報取得部２４１１Ｂは、利用者による操作手段２１Ｂへのトレー３６を外部に搬出させる旨の入力操作により操作手段２１Ｂから出力される操作信号を収納部搬出情報として取得する（ステップＳ１１Ａ：情報取得ステップ）。
ステップＳ１１Ａの後、前記第１実施形態と同様に、状態切替制御部２４１５ＢがＯＮ切替制御を実施し（ステップＳ１Ｂ）、光源制御部２４１６Ｂが消灯維持制御を実施する（ステップＳ１Ｃ）。
【００６５】
ステップＳ１Ｃの後、動作制御部２４１４Ｂは、ローディング機構３２Ｂに搬出動作を実施させる（ステップＳ１１Ｂ：動作制御ステップ）。そして、利用者は、ローディング機構３２Ｂの搬出動作により、外部に搬出されたトレー３６から光ディスクの取り出し、あるいは、トレー３６に光ディスクを収納可能となる。
ステップＳ１１Ｂの後、情報取得部２４１１Ｂは、利用者による操作手段２１Ｂへのトレー３６を内部に搬入させる旨の入力操作により操作手段２１Ｂから出力される操作信号を収納部搬入情報として取得する（ステップＳ１１Ｃ：情報取得ステップ）。
【００６６】
ステップＳ１１Ｃの後、動作制御部２４１４Ｂは、ローディング機構３２Ｂに搬入動作を実施させる（ステップＳ１１Ｄ：動作制御ステップ）。
ステップＳ１１Ｄの後、収納状態認識部２４１３Ｂは、収納検出部３７から出力される信号に応じて、トレー３６に光ディスクが収納されている状態であるか否かを判定する（ステップＳ１１Ｅ）。
ステップＳ１１Ｅにおいて、「Ｎ」と判定された場合には、状態切替制御部２４１５Ｂは、前記第１実施形態で説明したＯＦＦ切替制御を実施する（ステップＳ１Ｆ）。
一方、ステップＳ１１Ｅにおいて、「Ｙ」と判定された場合には、前記第１実施形態と同様に、光源制御部２４１６Ｂが点灯制御を実施し（ステップＳ４）、主制御部２４１Ｂが画像情報処理部２４３に所定の制御指令を出力しスクリーン上に投影画像を表示させる（ステップＳ５）。
【００６７】
そして、スクリーン上に投影画像を表示させている通常動作状態（ステップＳ５）において、主制御部２４１Ｂは、利用者により操作手段２１Ｂにトレー３６を外部に搬出させる旨の入力操作、トレー３６を内部に搬出させる旨の入力操作が実施された場合には、以下の処理を実行する（ステップＳ７１）。
なお、通常動作状態（ステップＳ５）において、利用者により操作手段２１Ｂにプロジェクタ１Ｂの電源ＯＦＦの入力操作が実施された場合での主制御部２４１Ｂの処理動作は、前記第１実施形態で説明した処理動作（ステップＳ６）と同様のものである。
【００６８】
ステップＳ７１において、主制御部２４１Ｂは、ステップＳ１１Ａ，Ｓ１１Ｂ，Ｓ１１Ｃ，Ｓ１１Ｄと同様に、収納部搬出情報の取得（ステップＳ７１Ａ）、ローディング機構３２Ｂへの搬出動作の指示（ステップＳ７１Ｂ）、収納部搬入情報の取得（ステップＳ７１Ｃ）、およびローディング機構３２Ｂへの搬入動作の指示（ステップＳ７１Ｄ）を実施し、ステップＳ５の処理に戻る。
【００６９】
上述した第３実施形態のように再生装置３Ｂをトレー式のディスクドライブで構成した場合であっても、前記第１実施形態で説明した再生装置３をスロット式のディスクドライブで構成したプロジェクタ１と同様の効果を享受できる。
また、主制御部２４１Ｂは、収納状態認識部２４１３Ｂを備える。そして、状態切替制御部２４１５Ｂは、動作制御部２４１４Ｂがローディング機構３２Ｂに搬入動作を実施させた後、収納状態認識部２４１３Ｂにてトレー３６に光ディスクが収納されていない状態であると認識された場合に、ＯＦＦ切替制御（ステップＳ１Ｆ）を実施する。言い換えれば、主制御部２４１Ｂは、ローディング機構３２Ｂの搬出動作および搬入動作時に利用者によりトレー３６に収納された光ディスクが取り出された場合に、ＯＦＦ切替制御を実施する。このことにより、利用者は、光ディスクをトレー３６から取り出した後、所定時間、待つことなく、電源プラグＰＬをコンセントから引き抜きプロジェクタ１Ｂを他の場所に持ち運ぶ等を実施でき、利便性の向上が図れる。
また、光源制御部２４１６Ｂは、動作制御部２４１４Ｂがローディング機構３２Ｂに搬入動作を実施させた後、収納状態認識部２４１３Ｂにて光ディスクが収納されている状態であると認識された場合に、点灯制御（ステップＳ４）を実施する。このことにより、プロジェクタ１Ｂは、利用者により新たな光ディスクがトレー３６に収納された後、即座に、該新たな光ディスクに記録された情報の再生（画像表示）を実施でき、利便性の向上が図れる。
【００７０】
[第４実施形態]
次に、本発明の第４実施形態を図面に基づいて説明する。
以下の説明では、前記第３実施形態と同様の構造および同一部材には同一符号を付して、その詳細な説明は省略または簡略化する。
図７は、第３実施形態におけるプロジェクタ１Ｃの概略構成を示すブロック図である。
図８は、プロジェクタ１Ｃの制御方法を説明するフローチャートである。
本実施形態は、前記第３実施形態に対して、主電源動作ブロックＭＢおよび副電源動作ブロックＳＢの構成が異なる。また、主電源動作ブロックＭＢおよび副電源動作ブロックＳＢの構成変更に伴い、プロジェクタ本体２Ｃを構成する制御手段としての主制御部２４１Ｃの処理動作（メモリ２４２に記憶されている制御プログラム）も異なるものとしている。
【００７１】
具体的に、本実施形態では、主電源動作ブロックＭＢは、図７に示すように、プロジェクタ本体２Ｃを構成する画像情報処理部２４３およびランプ駆動部２４４である。また、副電源動作ブロックＳＢは、図７に示すように、再生装置３Ｂ（ローディング機構３２Ｂ、読取手段３４、デコーダ３５、収納検出部３７）と、プロジェクタ本体２Ｃを構成する操作手段２１Ｂ、主制御部２４１Ｃ、およびメモリ２４２である。
本実施形態では、再生装置３Ｂは、副電源動作ブロックＳＢとして構成されているため、プロジェクタ１Ｃがスタンバイ状態に設定されている際に動作可能となっている。例えば、スタンバイ状態において利用者により操作手段２１Ｂにトレー３６を外部に搬出させる、または内部に搬入させる旨の入力操作が実施された場合には、主制御部２４１Ｃは、主電源部２２１をＯＦＦ状態からＯＮ状態に切り替えることなく、再生装置３Ｂを駆動制御することができる。すなわち、本実施形態の制御方法は、前記第３実施形態で説明した制御方法に対して、図８に示すように、ステップＳ１１の処理動作が異なるのみである。
【００７２】
すなわち、ステップＳ１１において、主制御部２４１Ｃは、前記第１実施形態で説明したステップＳ１１Ａ，Ｓ１１Ｂ，Ｓ１１Ｃ，Ｓ１１Ｄ，Ｓ１１Ｅを実施する。
ステップＳ１１Ｅにおいて、主制御部２４１Ｃは、「Ｎ」と判定した場合には、スタンバイ状態を維持する。
一方、ステップＳ１１Ｅにおいて、主制御部２４１Ｃは、「Ｙ」と判定した場合には、前記第３実施形態で説明したＯＮ切替制御を実施し（ステップＳ１Ｂ）、ステップＳ４の処理に移行する。
【００７３】
上述した第４実施形態によれば、前記第３実施形態で説明した効果の他、以下の効果がある。
本実施形態では、ローディング機構３２Ｂが副電源部２２２からの電力供給により駆動するため、スタンバイ状態において、ローディング機構３２Ｂを駆動させることができる。すなわち、前記第３実施形態で説明したプロジェクタ１Ｂのように、スタンバイ状態においてトレー３６を外部に搬出あるいは搬入させる際、主電源部２２１をＯＦＦ状態からＯＮ状態に切り替えるＯＮ切替制御や、光源装置２３１の消灯状態を維持する消灯維持制御を実施する必要がなく、主制御部２４１Ｃの構造の簡素化が図れる。
また、動作制御部２４１４Ｂがローディング機構３２Ｂに搬入動作を実施させた後、収納状態認識部２４１３Ｂにてトレー３６に光ディスクが収納されている状態であると認識された場合に、状態切替制御部２４１５ＢがＯＮ切替制御（ステップＳ１Ｂ）を実施し、光源制御部２４１６Ｂが点灯制御（ステップＳ４）を実施する。このことにより、プロジェクタ１Ｃは、ローディング機構３２Ｂの搬出動作および搬入動作時に利用者により新たな光ディスクがトレー３６に収納された後、即座に、該新たな光ディスクに記録された情報の再生（画像表示）を実施でき、利便性の向上が図れる。
【００７４】
なお、本発明は前述の実施形態に限定されるものではなく、本発明の目的を達成できる範囲での変形、改良等は本発明に含まれるものである。
前記各実施形態では、記録媒体として、ＣＤ、ＤＶＤ等の光ディスクを採用していたが、これに限らず、ＭＯ等のその他の記録媒体を採用しても構わない。
前記各実施形態において、プロジェクタ１，１Ａ，１Ｂ，１Ｃの制御方法は、前記各実施形態で説明した図２，図４，図６，図８に限らず、適宜、その処理順序を変更しても構わない。
前記各実施形態での光変調装置２３２としては、透過型の液晶パネル、反射型の液晶パネル、あるいは、ＤＭＤ(Digital Micromirror Device)(米国テキサスインスツルメント社の商標)等を採用してもよい。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００７５】
本発明のプロジェクタは、光源装置を不要に点灯させることなく光源装置の長寿命化、省電力化が図れるとともに、利便性の向上が図れるため、プレゼンテーションやホームシアタに用いられるプロジェクタとして利用できる。
【図面の簡単な説明】
【００７６】
【図１】第１実施形態におけるプロジェクタの概略構成を示すブロック図。
【図２】前記実施形態におけるプロジェクタの制御方法を説明するフローチャート。
【図３】第２実施形態におけるプロジェクタの概略構成を示すブロック図。
【図４】前記実施形態におけるプロジェクタの制御方法を説明するフローチャート。
【図５】第３実施形態におけるプロジェクタの概略構成を示すブロック図。
【図６】前記実施形態におけるプロジェクタの制御方法を説明するフローチャート。
【図７】第４実施形態におけるプロジェクタの概略構成を示すブロック図。
【図８】前記実施形態におけるプロジェクタの制御方法を説明するフローチャート。
【符号の説明】
【００７７】
１，１Ａ，１Ｂ，１Ｃ・・・プロジェクタ、２，２Ａ，２Ｂ，２Ｃ・・・プロジェクタ本体、３，３Ｂ・・・再生装置、２２・・・電源ブロック、３２，３２Ｂ・・・ローディング機構（搬入出駆動部）、２２１・・・主電源部、２２２・・・副電源部、２３１・・・光源装置、２４１，２４１Ａ，２４１Ｂ，２４１Ｃ・・・主制御部（制御手段）、２４１１，２４１１Ｂ・・・情報取得部、２４１３Ｂ・・・収納状態認識部、２４１４，２４１４Ｂ・・・動作制御部、２４１５，２４１５Ｂ・・・状態切替制御部、２４１６，２４１６Ｂ・・・光源制御部、ＭＢ・・・主電源動作ブロック、ＳＢ・・・副電源動作ブロック、Ｓ１Ａ，Ｓ１１Ａ，Ｓ１１Ｃ・・・情報取得ステップ、Ｓ１Ｂ・・・状態切替制御ステップ、Ｓ１Ｅ，Ｓ１１Ｂ，Ｓ１１Ｄ・・・動作制御ステップ、Ｓ１Ｃ・・・光源制御ステップ。
【図１】
2009003001.tif 000003
【図２】
2009003001.tif 000004
【図３】
2009003001.tif 000005
【図４】
2009003001.tif 000006
【図５】
2009003001.tif 000007
【図６】
2009003001.tif 000008
【図７】
2009003001.tif 000009
【図８】
2009003001.tif 000010